(57)【要約】【課題】過大電圧を抑制することができる撮像装置、画像読取装置、画像形成装置及び画像読取方法を提供する。【解決手段】色ごとに複数画素の光電変換を行う複数の受光部と、前記受光部が色ごとに光電変換した各画素の電荷を電圧に変換して順次に出力する複数の出力部と、外部から入力される切替信号に応じて、複数の前記出力部が電圧の出力を交互に行うように信号経路を切替える切替部と、前記切替部が信号経路を切替えてから所定時間が経過するまで前記出力部が出力する電圧にオフセット電位を付与する電位付与部と、を有する。【選択図】図９
2013225845.tif 000002
【特許請求の範囲】
【請求項１】
色ごとに複数画素の光電変換を行う複数の受光部と、
前記受光部が色ごとに光電変換した各画素の電荷を電圧に変換して順次に出力する複数の出力部と、
外部から入力される切替信号に応じて、複数の前記出力部が電圧の出力を交互に行うように信号経路を切替える切替部と、
前記切替部が信号経路を切替えてから所定時間が経過するまで前記出力部が出力する電圧にオフセット電位を付与する電位付与部と、
を有することを特徴とする撮像装置。
【請求項２】
前記電位付与部は、
前記切替信号を受入れ、前記切替信号を受入れてから遅延回路による遅延時間が経過するまでオフセット電位を付与すること
を特徴とする請求項１に記載の撮像装置。
【請求項３】
前記遅延回路は、
前記受光部が蓄積した電荷を色ごとに転送させるシフトパルス、又は画素ごとに蓄積された電荷をリセットするリセットパルスに同期して、信号を遅延させること
を特徴とする請求項２に記載の撮像装置。
【請求項４】
前記電位付与部は、
外部からの信号による制御に応じてオフセット電位を付与すること
を特徴とする請求項１に記載の撮像装置。
【請求項５】
請求項１乃至４のいずれか１項に記載の撮像装置と、
前記切替部及び前記電位付与部を制御する制御部と、
を有すること
を特徴とする画像読取装置。
【請求項６】
前記撮像装置は、
複数の前記受光部が蓄積した電荷を転送する複数のシフトゲートと、
複数の前記シフトゲートが転送した電荷を受入れ、複数の前記出力部に対して転送する複数の転送レジスタと
を有し、
前記遅延時間は、
色ごとに前記受光部、前記シフトゲート及び前記転送レジスタが蓄積可能な全電荷量を前記転送レジスタが蓄積可能な電荷量で除した値と、前記転送レジスタが一度に蓄積した電荷の全てを転送するために要する時間との積により算出される時間よりも長くなるように設定されていること
を特徴とする請求項５に記載の画像読取装置。
【請求項７】
請求項５又は６に記載の画像読取装置が読取った画像を形成する画像形成部を有すること
を特徴とする画像形成装置。
【請求項８】
切替信号に応じて、複数の受光部が光電変換した電気信号を色ごとに交互に出力するように信号経路を切替える工程と、
信号経路を切替えてから所定時間が経過するまで出力部が出力する電圧にオフセット電位を付与する工程と、
を含むことを特徴とする画像読取方法。
【発明の詳細な説明】
【技術分野】
【０００１】
本発明は、撮像装置、画像読取装置、画像形成装置及び画像読取方法に関する。
【背景技術】
【０００２】
一般に、原稿などの画像を読み取る画像読取装置には、ＣＣＤ（Charge  Coupled  Device）イメージセンサと、その後段に配置されるＡＦＥ（analog  front  end）を備えている。そして、ＣＣＤイメージセンサの出力とＡＦＥ信号の入力はＡＣ結合（コンデンサ直列）され、ＡＦＥにはＣＣＤイメージセンサの出力の変化分（ＡＣ分）しか伝わらない。換言すると、ＣＣＤイメージセンサの出力の変化分すなわち出力変動は、ＡＦＥに必ず伝わってしまう。
【０００３】
例えば、ＣＣＤイメージセンサは、電源がオンであるかオフであるかに関わらず、入射した光に反応して電荷を蓄積する。この電荷蓄積は、意図的に光を入射させた場合でなくても、周囲の微量な光を感知して起こる現象である。従って、ＣＣＤイメージセンサの電源がオフからオンに移行する場合、電源オフ時に蓄積された不要電荷は、電源がオンにされた直後に出力端子に一度に放出され、過大電圧が発生する。
【０００４】
また、Ｒ（red）／Ｇ（green）／Ｂ（Blue）のカラー画像読取り用の３つのＣＣＤイメージセンサと、モノクロ（ＢＷ:black  and  white）画像読取り用の１つのＣＣＤイメージセンサを有するいわゆる４ラインＣＣＤにおいては、電源がオフからオンに移行しなくても、過大電圧が発生する場合がある。
【０００５】
例えば、４ラインＣＣＤの電源がオンにされた状態で、カラー画像を読取るカラーモードと、モノクロ画像を読取るモノクロモードとの切替がなされた場合、使用されていなかった方のＣＣＤイメージセンサ（カラーモードの場合はモノクロ画像読取り用の１つのＣＣＤイメージセンサ、モノクロモードの場合はカラー画像読取り用の３つのＣＣＤイメージセンサ）に蓄積された不要電荷が、モードを切替えた直後に出力端子に一度に放出されて過大電圧が発生してしまう（図７参照）。
【０００６】
そして、ＣＣＤイメージセンサが一時的にＡＦＥの定格入力電圧を超える過大電圧を発生させた場合などには、それがそのままＡＦＥに伝わり、ＡＦＥデバイスの特性劣化や、最悪の場合、デバイス破壊を引き起こす可能性がある。このため、ＡＦＥに対する過大電圧抑制手段がいくつか知られている。
【０００７】
例えば、特許文献１には、ＡＣ結合コンデンサを介して光電変換素子に接続されるアナログ信号処理回路部の入力部において、ＡＣ結合コンデンサの充放電によって入力オフセットレベルを任意の電位に固定するクランプ回路部を備えて、光電変換素子をオン／オフする際には、クランプ回路部の任意の電位に固定する期間がオン／オフしないときの期間よりも長く設定される技術が開示されている。
【発明の概要】
【発明が解決しようとする課題】
【０００８】
しかしながら、従来技術では、ＣＣＤイメージセンサの電源オフ時に蓄積された不要電荷がＣＣＤイメージセンサの電源オン直後に一度に放出されるために発生する過大電圧を抑制することしかできなかった。例えば、カラー（Ｒ／Ｇ／Ｂ）に加えてモノクロ（ＢＷ）のセンサを持ついわゆる４ラインＣＣＤにおいては、ＣＣＤイメージセンサの電源オンが継続された状態であっても、カラー読取モードとモノクロ読取モードとの切替時において、それまで使用していなかった方のセンサ（例えば、カラー読取モードの場合はモノクロセンサ、モノクロ読取モードの場合はカラーセンサ）に蓄積された不要電荷が読取モードを切り替えた直後に一度に放出されて過大電圧が発生するという問題があった。
【０００９】
本発明は、上記に鑑みてなされたものであって、過大電圧を抑制することができる撮像装置、画像読取装置、画像形成装置及び画像読取方法を提供することを目的とする。
【課題を解決するための手段】
【００１０】
上述した課題を解決し、目的を達成するために、本発明は、色ごとに複数画素の光電変換を行う複数の受光部と、前記受光部が色ごとに光電変換した各画素の電荷を電圧に変換して順次に出力する複数の出力部と、外部から入力される切替信号に応じて、複数の前記出力部が電圧の出力を交互に行うように信号経路を切替える切替部と、前記切替部が信号経路を切替えてから所定時間が経過するまで前記出力部が出力する電圧にオフセット電位を付与する電位付与部と、を有することを特徴とする。
【発明の効果】
【００１１】
本発明によれば、過大電圧を抑制することができるという効果を奏する。
【図面の簡単な説明】
【００１２】
【図１】図１は、実施の形態にかかる撮像装置を備えた画像読取装置の構成例を示すブロック図である。
【図２−１】図２−１は、エミッタフォロアーの構成を示す図である。
【図２−２】図２−２は、撮像装置から出力された段階でのアナログ画像信号を示す図である。
【図２−３】図２−３は、ＡＦＥへ入力される段階でのアナログ画像信号を示す図である。
【図３】図３は、実施の形態にかかる画像読取装置が有する撮像装置の構成例を示すブロック図である。
【図４】図４は、出力部及びその周辺の構成を示すブロック図である。
【図５】図５は、図４に示した出力部及びその周辺のカラーモードにおける動作を示すタイミングチャートである。
【図６】図６は、図３に示した撮像装置がモノクロ画像を読取るモノクロモードの場合の動作例を示すタイミングチャートである。
【図７】図７は、比較例の４ラインＣＣＤの動作を示すタイミングチャートである。
【図８】図８は、実施形態にかかる画像読取装置の動作例を示すタイミングチャートである。
【図９】図９は、出力部の第１の変形例及びその周辺の構成を示すブロック図である。
【図１０】図１０は、切替時クランプ部がアンプの入力側を直流オフセット電位にクランプするタイミングを示すタイミングチャートである。
【図１１】図１１は、出力部の第２の変形例及びその周辺の構成を示すブロック図である。
【図１２】図１２は、画像読取装置を有する画像形成装置のハードウェア構成例を示すブロック図である。
【図１３】図１３は、画像読取装置を有する画像形成装置の構成例を示す側面図である。
【発明を実施するための形態】
【００１３】
以下に添付図面を参照して、撮像装置を備えた画像読取装置の実施の形態を詳細に説明する。図１は、実施の形態にかかる撮像装置４を備えた画像読取装置１の構成例を示すブロック図である。
【００１４】
画像読取装置１は、照明光源２、光源点灯装置（インバータ）３、撮像装置４、エミッタフォロアー５、ＡＣカップリングコンデンサ６、ＡＦＥ７、データ処理部８、制御部９及び記憶部１０を有する。
【００１５】
照明光源２は、画像読取りを行う対象である原稿に光を照射する光源である。光源点灯装置３は、照明光源２を点灯させるための回路である。
【００１６】
撮像装置４は、ＣＣＤ（Charge  Coupled  Device）を備え、例えば４つのＣＣＤイメージセンサを有する。例えば、撮像装置４は、Ｒ（red）／Ｇ（green）／Ｂ（Blue）のカラー画像読取り用の３つのＣＣＤイメージセンサと、モノクロ（ＢＷ:black  and  white）画像読取り用の１つのＣＣＤイメージセンサを有するいわゆる４ラインＣＣＤである。
【００１７】
ＣＣＤイメージセンサそれぞれは、例えば色ごとに複数画素の光電変換を行う受光部、シフトゲート、転送レジスタ及び出力部（図３，４等を用いて後述）を有し、原稿から反射された光を電気信号（アナログ画像信号）に変換する。なお、出力部は、受光部が色ごとに光電変換した各画素の電荷を電圧に変換して順次に出力する。また、ＣＣＤイメージセンサは、受光部が転送レジスタの機能を有していてもよい。以下、撮像装置４をＣＣＤイメージセンサ、又は単にＣＣＤと記すことがある。また、ＣＣＤイメージセンサを単にＣＣＤと記すことがある。
【００１８】
エミッタフォロアー５は、撮像装置４とＡＦＥ７との間のインピーダンス整合を行う。ＡＣカップリングコンデンサ６は、撮像装置４から出力されたアナログ画像信号の電圧がＡＦＥ７の入力定格電圧の範囲内に収まるようにＣＣＤ出力電圧の直流オフセット分を除去する。
【００１９】
ＡＦＥ（analog  front  end）７は、Ａ／Ｄ変換、Ｓ／Ｈ回路、ゲイン調整等の機能を集積化したＩＣ（Integrated  Circuit）である。また、ＡＦＥ７の重要な機能の一つは、ＡＦＥ７に入力されるアナログ画像信号をデジタル画像信号に変換することである。さらに、ＡＦＥ７は、入力されるアナログ画像信号のレベルを希望の一定電圧レベルに安定させるクランプ（電位付与）機能、変換されたデジタル画像信号のピークレベルを希望のレベルに調整するＡＧＣ（auto  gain  control）機能及び画像信号の基準となる黒レベルを希望の出力に設定する黒オフセット調整機能等を備えていても良い。
【００２０】
データ処理部８は、ＡＦＥ７から出力されたデジタル画像信号に対して、シェーディング補正やガンマ補正等の各種データ処理を行う。処理後のデジタル画像データは、書込み部１５へ直接送信されるか、制御部９を介して記憶部１０に一時記憶された後、再び、制御部９を介して書込み部１５へ送信される。書込み部１５は、例えば画像形成装置（図１２参照）などに設けられる。
【００２１】
制御部９は、画像読取装置１を構成する各部を制御する。制御部９は、光源駆動制御部１１、ＣＣＤ駆動制御部１２、ＡＦＥ駆動制御部１３及びデータ処理制御部１４を有する。
【００２２】
光源駆動制御部１１は、光源点灯装置３の駆動を制御することにより、照明光源２の放出光量を制御する。具体的には、光源点灯装置３に直流電圧を入力（印加）したり、ＰＷＭ（pulse  width  modulation）信号を入力したりすることにより、照明光源２の放出光量を制御する。
【００２３】
ＣＣＤ駆動制御部１２は、撮像装置４の駆動を制御する。具体的には、ＣＣＤ駆動制御部１２は、撮像装置４が有する複数の読取りモードの中から、どの読取りモードで撮像装置４に原稿を読み取らせるかを選択し、撮像装置４に指示する。
【００２４】
ＡＦＥ駆動制御部１３は、ＡＦＥ７の駆動を制御する。データ処理制御部１４は、データ処理部８を制御する。記憶部１０は、各種の駆動設定データ及びデータ処理部８によりデータ処理済みのデジタル画像データを記憶する。記憶部１０は、例えば、ＲＯＭ、ＲＡＭなどのメモリ又はＨＤＤ等の記憶媒体である。ここで、各種の駆動設定データとは、照明光源２及び光源点灯装置３の駆動設定データ、撮像装置４の駆動設定データ、ＡＦＥ７の駆動設定データ並びにデータ処理部８のデータ処理設定データ等である。
【００２５】
次に、画像読取装置１の動作について説明する。照明光源２から放出された光は原稿に照射され、その反射光が図示しない複数枚のミラーを経由して撮像装置４に入力される。撮像装置４は、記憶部１０に記憶されている撮像装置４の駆動設定データに基づいて駆動され、その入力された光量に応じたアナログ画像信号を出力する。そして、アナログ画像信号は、エミッタフォロアー５を経由し、ＡＣカップリングコンデンサ６へ入力される。撮像装置４から出力された段階でのアナログ画像信号には、一定のオフセット電圧が重畳されているが、このオフセット電圧はＡＦＥ７の入力定格電圧を超えており、そのままＡＦＥ７に入力することはできない。そこで、ＡＣカップリングコンデンサ６で、ＡＦＥ７の入力定格電圧を超えないようにアナログ画像信号のオフセット分を除去する。
【００２６】
図２は、撮像装置４が有する１つのＣＣＤイメージセンサが出力するアナログ画像信号に対するエミッタフォロアー５の動作を説明する図である。なお、撮像装置４は、上述したように複数のＣＣＤイメージセンサを有し、エミッタフォロアー５は、ＣＣＤイメージセンサそれぞれに対して接続される。
【００２７】
図２−１は、エミッタフォロアー５の構成を示す図であり、図２−２は、撮像装置４から出力された段階でのアナログ画像信号を示す図であり、図２−３は、ＡＦＥ７へ入力される段階でのアナログ画像信号を示す図である。図２−１に示すように、エミッタフォロアー５は、抵抗５ａと、トランジスタ５ｂと、を含んで構成されている。抵抗５ａの一端は、接地されている。トランジスタ５ｂは、第１の入出力端子が抵抗５ａの一端に接続され、第２の入出力端子が電源電位（ここでは、１０〜１２Ｖ）に接続され、制御端子には撮像装置４の出力信号が入力される。
【００２８】
図２−１に示す例では、撮像装置４の電源電圧は１０〜１２Ｖであり、撮像装置４から出力された段階でのアナログ画像信号（図２−２参照）は、５Ｖのオフセット電圧にマイナスパルスのアナログ画像信号が重畳されている。これに対して、ＡＦＥ７の電源電圧は３．３Ｖであり、入力定格電圧は０〜２Ｖに設定され、オフセット電圧は２Ｖである。従って、撮像装置４の出力信号をそのままＡＦＥ７へ入力することはできない。そこで、ＡＣカップリングコンデンサ６により、撮像装置４の出力信号を２Ｖのオフセット電圧にマイナスパルスのアナログ画像信号が重畳された状態である信号に変換し（図２−３参照）、その変換後の信号がＡＦＥ７へ入力される。なお、上記電圧値は本発明の実施の形態を示す一例であり、これらの値に限定されない。
【００２９】
ここで、撮像装置４から出力された段階でのアナログ画像信号の振幅値が２Ｖ以上あると、オフセット電圧を２Ｖにした場合に、アナログ画像信号の２Ｖを超える部分の振幅値は、接地電位（ＧＮＤ）に達してしまう。つまり、アナログ画像信号がＡＦＥ７の入力定格電圧の下限を下回り、ＡＦＥ７に悪影響を及ぼして、特性劣化や、最悪の場合はデバイス破壊に至る。従って、アナログ画像信号の振幅値は、ＡＦＥ７の入力定格電圧内に収まる範囲で使用することが好ましい。
【００３０】
図３は、実施の形態にかかる画像読取装置１が有する撮像装置４の構成例を示すブロック図である。撮像装置４は、上述したように例えば４ラインＣＣＤであり、４つのＣＣＤイメージセンサ１６〜１９と、例えば反転回路からなる切替部２４とを有する。切替部２４は、外部から入力される切替信号に応じて、後述する出力部２３ａなどが電圧の出力を交互（例えばモノクロとカラーの交互）に行うように信号経路を切替える。
【００３１】
ＣＣＤイメージセンサ１６は、モノクロ画像読取り用のＣＣＤイメージセンサであり、受光部２０ｋ、シフトゲート２１ｋ、転送レジスタ２２ｋ及び出力部２３ａを有する。受光部２０ｋは、光のエネルギーを電気信号に変換（光電変換）し、信号電荷を一時的に蓄積する。シフトゲート２１ｋは、入力されるシフトパルスａに応じて、受光部２０ｋが蓄積した電荷を転送レジスタ２２ｋに対して転送する。
【００３２】
転送レジスタ２２ｋは、入力されるモノクロ転送クロックａ、ｂに同期して、シフトゲート２１ｋから転送された電荷を出力部２３ａに対して転送する。具体的には、転送レジスタ２２ｋは、２相のモノクロ転送クロックａ、ｂの１周期に１画素ずつ出力部２３ａに向けてシフトさせる。
【００３３】
ＣＣＤイメージセンサ１６の出力部２３ａは、リセットパルス及びクランプパルスを受入れ、転送レジスタ２２ｋから転送される信号電荷を電圧に変換し、入力される切替信号に応じてアナログ出力信号（ＯＳ１）を出力端子から出力する。なお、ＣＣＤイメージセンサ１６の出力部２３ａには、切替部２４により反転された切替信号が入力されるように構成されている。
【００３４】
ＣＣＤイメージセンサ１７は、Ｒ（レッド）の画像読取り用のＣＣＤイメージセンサであり、受光部２０ｒ、シフトゲート２１ｒ、転送レジスタ２２ｒ及び出力部２３ａを有する。受光部２０ｒは、レッドの光のエネルギーを電気信号に変換（光電変換）し、信号電荷を一時的に蓄積する。シフトゲート２１ｒは、入力されるシフトパルスｂに応じて、受光部２０ｒが蓄積した電荷を転送レジスタ２２ｒに対して転送する。
【００３５】
転送レジスタ２２ｒは、入力されるカラー転送クロックａ、ｂに同期して、シフトゲート２１ｒから転送された電荷を出力部２３ａに対して転送する。具体的には、転送レジスタ２２ｒは、２相のカラー転送クロックａ、ｂの１周期に１画素ずつ出力部２３ａに向けてシフトさせる。
【００３６】
ＣＣＤイメージセンサ１７の出力部２３ａは、リセットパルス及びクランプパルスを受入れ、転送レジスタ２２ｒから転送される信号電荷を電圧に変換し、入力される切替信号に応じてアナログ出力信号（ＯＳ１）を出力端子から出力する。ここで、ＣＣＤイメージセンサ１７の出力部２３ａは、切替信号が直接入力されるように構成されている。
【００３７】
ＣＣＤイメージセンサ１８は、Ｇ（グリーン）の画像読取り用のＣＣＤイメージセンサであり、受光部２０ｇ、シフトゲート２１ｇ、転送レジスタ２２ｇ及び出力部２３ａを有する。受光部２０ｇは、グリーンの光のエネルギーを電気信号に変換（光電変換）し、信号電荷を一時的に蓄積する。シフトゲート２１ｇは、入力されるシフトパルスｂに応じて、受光部２０ｇが蓄積した電荷を転送レジスタ２２ｇに対して転送する。
【００３８】
転送レジスタ２２ｇは、入力されるカラー転送クロックａ、ｂに同期して、シフトゲート２１ｇから転送された電荷を出力部２３ａに対して転送する。具体的には、転送レジスタ２２ｇは、２相のカラー転送クロックａ、ｂの１周期に１画素ずつ出力部２３ａに向けてシフトさせる。
【００３９】
ＣＣＤイメージセンサ１８の出力部２３ａは、リセットパルス及びクランプパルスを受入れ、転送レジスタ２２ｇから転送される信号電荷を電圧に変換し、入力される切替信号に応じてアナログ出力信号（ＯＳ２）を出力端子から出力する。ここで、ＣＣＤイメージセンサ１８の出力部２３ａは、切替信号が直接入力されるように構成されている。
【００４０】
ＣＣＤイメージセンサ１９は、Ｂ（ブルー）の画像読取り用のＣＣＤイメージセンサであり、受光部２０ｂ、シフトゲート２１ｂ、転送レジスタ２２ｂ及び出力部２３ａを有する。受光部２０ｂは、ブルーの光のエネルギーを電気信号に変換（光電変換）し、信号電荷を一時的に蓄積する。シフトゲート２１ｂは、入力されるシフトパルスｂに応じて、受光部２０ｂが蓄積した電荷を転送レジスタ２２ｂに対して転送する。
【００４１】
転送レジスタ２２ｂは、入力されるカラー転送クロックａ、ｂに同期して、シフトゲート２１ｂから転送された電荷を出力部２３ａに対して転送する。具体的には、転送レジスタ２２ｂは、２相のカラー転送クロックａ、ｂの１周期に１画素ずつ出力部２３ａに向けてシフトさせる。
【００４２】
ＣＣＤイメージセンサ１９の出力部２３ａは、リセットパルス及びクランプパルスを受入れ、転送レジスタ２２ｂから転送される信号電荷を電圧に変換し、入力される切替信号に応じてアナログ出力信号（ＯＳ３）を出力端子から出力する。ここで、ＣＣＤイメージセンサ１９の出力部２３ａは、切替信号が直接入力されるように構成されている。
【００４３】
切替信号は、ＣＣＤ駆動制御部１２（図１）から入力される信号であり、モノクロ画像を読取るモノクロモードと、カラー画像を読取るカラーモードとを切替える信号である。撮像装置４が出力するアナログ画像信号（ＯＳ１）は、モノクロモードの場合にはモノクロ画像に対応するアナログ画像信号であり、カラーモードの場合にはＲ（レッド）の画像に対応するアナログ画像信号となるように切替えられる（図３参照）。
【００４４】
つまり、撮像装置４は、モノクロモードの場合にはモノクロ画像に対応するアナログ画像信号（ＯＳ１：１チャンネル）のみを出力し、カラーモードの場合にはＲＧＢに対応するアナログ画像信号（ＯＳ１〜ＯＳ３：３チャンネル）を出力する。なお、撮像装置４は、図３に示した構成に限定されることなく、例えばモノクロ画像を高速で読み取るために、奇数画素（ＯＤＤ）と偶数画素（ＥＶＥＮ）に分けて２ｃｈ（チャンネル）で出力する構成であってもよい。
【００４５】
以下、転送レジスタ２２ｋ，２２ｒ，２２ｇ，２２ｂのように複数ある構成のいずれかを特定しない場合には、単に「転送レジスタ２２」と記すことがある。また、モノクロ転送クロックａ、ｂと、カラー転送クロックａ、ｂとのいずれかを特定しない場合には、単に「転送クロックａ、ｂ」と記すことがある。
【００４６】
次に、出力部２３ａについて詳述する。図４は、出力部２３ａ及びその周辺の構成を示すブロック図である。図５は、図４に示した出力部２３ａ及びその周辺のカラーモードにおける動作を示すタイミングチャートである。
【００４７】
図４に示すように、出力部２３ａは、例えば信号電荷排出部２５、アンプ２６，２８と、クランプ（電位付与）部２７、スイッチ２９及びフローティングキャパシタ３０を有する。上述したように、転送レジスタ２２は、転送クロックａ、ｂに同期して、シフトゲート２１から転送された電荷を出力部２３ａに対して転送する。
【００４８】
フローティングキャパシタ３０は、転送レジスタ２２の出力端子と接地電位との間に接続されている。信号電荷排出部２５は、トランジスタ２５ａを含む。トランジスタ２５ａの第１の入出力端子は、転送レジスタ２２の出力端子とフローティングキャパシタ３０との接続点Ｃに接続される。トランジスタ２５ａの第２の入出力端子は、高電位側の電源電位に接続される。トランジスタ２５ａの制御端子には、リセットパルスが入力される。
【００４９】
従って、リセットパルスがハイレベルの間は、トランジスタ２５ａがオン状態となり、接続点Ｃの電位が高電位側の電源電位にプルアップされ、信号電荷（電子）が排出される。アンプ２６は、接続点Ｃの電位を増幅出力する。
【００５０】
クランプ部２７は、キャパシタ２７ａ、直流電源２７ｂ及びトランジスタ２７ｃを有する。キャパシタ２７ａの一端は、アンプ２６の出力端子に接続されている。直流電源２７ｂの低電位側の出力端子は、接地電位に接続されている。トランジスタ２７ｃは、第１の入出力端子が直流電源２７ｂの高電位側の出力端子に接続されている。また、トランジスタ２７ｃは、第２の入出力端子がキャパシタ２７ａの他端と接続されている。また、トランジスタ２７ｃは、クランプ部２７の出力端子にもなっている。また、トランジスタ２７ｃは、クランプパルスがハイレベルの間にはオン状態となり、クランプ部２７の出力端子の電位を直流電源２７ｂの電位（直流オフセット電位）にクランプ（電位付与）する。
【００５１】
アンプ２８は、クランプ部２７の出力端子の電位を増幅出力する。スイッチ２９は、切替信号に応じて、アンプ２８の出力信号を出力端子に出力する。
【００５２】
また、図５に示すように、転送クロックａは、転送クロックｂの反転信号である。時刻ｔ０において、転送クロックａがローレベルからハイレベルに変化し、転送クロックｂがハイレベルからローレベルに変化し、リセットパルスがローレベルからハイレベルに変化すると、信号電荷排出部２５内のトランジスタ２５ａ（図４）がオン状態になり、アナログ出力信号（例えばＯＳ１，ＯＳ２，ＯＳ３）がハイレベルに変化する。
【００５３】
その後、時刻ｔ１において、リセットパルスがハイレベルからローレベルに変化し、クランプパルスがローレベルからハイレベルに変化すると、信号電荷排出部２５内のトランジスタ２５ａがオフ状態になり、クランプ部２７内のトランジスタ２７ｃがオン状態になる。トランジスタ２７ｃがオン状態になると、アナログ出力信号（ＯＳ１，ＯＳ２，ＯＳ３）が直流オフセット電位にクランプされる。時刻ｔ１の前後においては、アナログ出力信号（ＯＳ１，ＯＳ２，ＯＳ３）にオーバーシュートが発生する。このオーバーシュートは、リセットノイズと呼ばれている。
【００５４】
次に、時刻ｔ２において、転送クロックａがハイレベルからローレベルに変化し、転送クロックｂがローレベルからハイレベルに変化すると、原稿からの反射光に比例したアナログ振幅電圧が直流オフセット電位に足されて、アナログ出力信号（ＯＳ１，ＯＳ２，ＯＳ３）としてそれぞれ出力される。
【００５５】
その後、時刻ｔ３において、リセットパルスがローレベルからハイレベルに変化すると、アナログ振幅電圧はリセットされ、アナログ出力信号（ＯＳ１，ＯＳ２，ＯＳ３）にはリセットノイズが重畳される。
【００５６】
時刻ｔ４においては、クランプパルスがローレベルからハイレベルに変化すると、アナログ出力信号（ＯＳ１，ＯＳ２，ＯＳ３）はクランプされ、ＣＣＤイメージセンサの出力信号の基準となる直流オフセット電位に安定化される。
【００５７】
つまり、転送レジスタ２２に蓄積された電荷は、転送クロックａ、ｂに同期して出力部２３ａに向けて順次転送される。転送の最後に転送レジスタ２２に溜まった電荷は、リセットパルスによって信号電荷排出部２５に排出される。アナログ出力信号は、リセットパルスによってリセットされた後、クランプパルスにより直流オフセット電位にクランプされる。
【００５８】
図６は、図３に示した撮像装置４がモノクロ画像を読取るモノクロモードの場合の動作例を示すタイミングチャートである。モノクロモードの場合、撮像装置４は、切替信号、シフトパルスｂ及びカラー転送クロックｂがハイレベルにそれぞれ固定され、カラー転送クロックａはローレベルに固定されている。
【００５９】
時刻ｔ１０において、シフトパルスａがローレベルからハイレベルに変化すると、受光部２０ｋが蓄積した電荷が転送レジスタ２２ｋに転送される。時刻ｔ１１から、リセットパルスは、予め定められたデューティ比と周期でローレベルとハイレベルとを繰り返す。時刻ｔ１２から、クランプパルスは、予め定められたデューティ比と周期でローレベルとハイレベルとを繰り返す。
【００６０】
時刻ｔ１３から、モノクロ転送クロックａ、ｂは、予め定められたデューティ比と周期でローレベルとハイレベルとを繰り返す。モノクロ転送クロックａ、ｂに同期して、モノクロのアナログ出力信号が出力される。また、時刻ｔ１４において、シフトパルスａがローレベルからハイレベルに変化する。ここで、時刻ｔ１０〜時刻ｔ１４の期間（シフトパルスａの１周期）が電荷の蓄積期間に相当する。
【００６１】
このように、モノクロモード時には、ＣＣＤイメージセンサ１７〜１９を駆動する必要が無いため、シフトパルスｂ及びカラー転送クロックａ，ｂはハイレベル又はローレベルに固定される。つまり、撮像装置４は、必要のない回路動作を停止させ、消費電力の削減及び不要輻射（ＥＭＩ）の抑制を行う。
【００６２】
なお、カラーモード時には、切替信号がローレベルに切替えられて固定され、シフトパルスａ及びモノクロ転送クロックａ，ｂがハイレベル又はローレベルに固定されて、シフトパルスｂ及びカラー転送クロックａ，ｂが入力される。
【００６３】
また、図６に示した撮像装置４は、リセットパルス及びクランプパルスがカラーモードとモノクロモードで共通とされているが、カラーモードとモノクロモードのリセットパルス入力端子及びクランプパルス入力端子を個別に備えるように構成されてもよい。
【００６４】
（比較例の動作例）
上述したように、４ラインＣＣＤは、全てのＣＣＤイメージセンサがそれぞれ入射光に対して電荷の蓄積を行う。図７は、比較例の４ラインＣＣＤの動作を示すタイミングチャートである。
【００６５】
図７に示すように、比較例の４ラインＣＣＤは、初期時ｔ２０において、切替信号がハイレベル（モノクロモード）となっている。時刻ｔ２１において、シフトパルスａがローレベルからハイレベルに変化すると、蓄積された電荷が転送レジスタ（シフトレジスタ）に転送される。その後、リセットパルス、クランプパルス、モノクロ転送クロックａ、ｂが供給されると、原稿からの反射光に比例したアナログ出力信号（ＯＳ１）が出力される。
【００６６】
時刻ｔ２２では、切替信号がハイレベル（モノクロモード）からローレベル（カラーモード）に変化する。時刻ｔ２３から、リセットパルスは、予め定められたデューティ比と周期でローレベルとハイレベルとを繰り返す。リセットパルスがハイレベルになると、リセットノイズがアナログ出力信号（ＯＳ１，ＯＳ２，ＯＳ３）に重畳される。
【００６７】
時刻ｔ２４から、クランプパルスは、予め定められたデューティ比と周期でローレベルとハイレベルとを繰り返す。クランプパルスがハイレベルになると、アナログ出力信号（ＯＳ１，ＯＳ２，ＯＳ３）が直流オフセット電位にクランプされる。
【００６８】
時刻ｔ２５から、カラー転送クロックａ、ｂは、予め定められたデューティ比と周期でローレベルとハイレベルとを繰り返す。すると、時刻ｔ２０〜ｔ２２までの間使用されていなかったＲ／Ｇ／ＢのＣＣＤイメージセンサに蓄積された電荷が放出される。時刻ｔ２６において、アナログ出力信号（ＯＳ１，ＯＳ２，ＯＳ３）は、接地電位（ＧＮＤ）に達してしまい、図７に示すように、ＡＦＥの入力定格電圧の下限を下回ってしまう。
【００６９】
その後、一定の時間が経過し、使用されていなかった期間にＲ／Ｇ／ＢのＣＣＤイメージセンサに蓄積された不要な電荷が全て放出されると、正常な動作（入射光量に応じた電圧レベルを出力する状態）に復帰する。時刻ｔ２７において、シフトパルスｂは、ローレベルからハイレベルに変化する。時刻ｔ２８から、リセットパルスは、予め定められたデューティ比と周期でローレベルとハイレベルとを繰り返す。
【００７０】
リセットパルスがハイレベルになると、リセットノイズがアナログ出力信号（ＯＳ１，ＯＳ２，ＯＳ３）に重畳される。時刻ｔ２９から、クランプパルスは、予め定められたデューティ比と周期でローレベルとハイレベルとを繰り返す。クランプパルスがハイレベルになると、アナログ出力信号（ＯＳ１，ＯＳ２，ＯＳ３）は、直流オフセット電位にクランプされる。時刻ｔ３０から、カラー転送クロックａ、ｂが予め定められたデューティ比と周期でローレベルとハイレベルとを繰り返す。すると、原稿からの反射光に比例したアナログ出力信号（ＯＳ１，ＯＳ２，ＯＳ３）が出力される。
【００７１】
このように、比較例の動作例においては、モノクロモードからカラーモードに切り替えた後に、ＡＦＥに対する過大電圧が発生する。なお、図７においては、モノクロモードからカラーモードへの切替時について説明したが、比較例の動作例においては、カラーモードからモノクロモードへの切替時においても同様に、ＡＦＥに対する過大電圧が発生する。
【００７２】
（実施形態の動作例）
図８は、実施形態にかかる画像読取装置１（４ラインＣＣＤ）の動作例を示すタイミングチャートである。図８に示すように、実施形態にかかる画像読取装置１は、切替信号がハイレベル（モノクロモード）からローレベル（カラーモード）に切替えられる直前（又は前後）から、予め定められた期間（所定時間ＴＷＡＩＴ）が経過するまで、クランプパルスがアサートし続けられている。クランプパルスは、ＣＣＤ駆動制御部１２（図１）の制御によりアサートされている。
【００７３】
ここで、所定時間ＴＷＡＩＴは、ＣＣＤイメージセンサ１６〜１９がそれぞれ蓄積する全電荷量（１チャンネル分全ての回路に蓄積できる全電荷量）をＱＡＬＬ、転送レジスタ２２が蓄積できる全電荷量をＱＲＥＧ、転送レジスタ２２が全ての電荷を転送するために必要な最小時間（蓄積期間）をＴｌｉｎｅ（ｍｉｎ）とすると、下式１によって示される。
【００７４】
ＴＷＡＩＴ＞ＱＡＬＬ÷ＱＲＥＧ×Ｔｌｉｎｅ（ｍｉｎ）  ・・・（１）
【００７５】
モノクロモードからカラーモードに切り替えられるときに、クランプパルスがアサートし続けられると、ＣＣＤイメージセンサ１７〜１９に蓄積された不要電荷が排出されて、撮像装置４の出力端子の電位が直流オフセット電位にされる。
【００７６】
このように、モノクロモードからカラーモード（又はカラーモードからモノクロモード）に切り替える前に、ＣＣＤ駆動制御部１２がクランプパルスを予め定められた期間アサートし続けることにより、ＣＣＤイメージセンサ１７〜１９（又はＣＣＤイメージセンサ１６）に蓄積された不要電荷による過大電圧の出力を抑制することができる。なお、クランプパルス及びリセットパルスは、ＣＣＤイメージセンサ１７〜１９及びＣＣＤイメージセンサ１６に対してそれぞれ個別に供給される構成であってもよい。
【００７７】
次に、出力部２３ａの変形例について説明する。
【００７８】
（第１の変形例）
図９は、出力部２３ａの第１の変形例（出力部２３ｂ）及びその周辺の構成を示すブロック図である。出力部２３ｂは、図４に示した出力部２３ａに対し、さらに切替時クランプ（電位付与）部３１を有する点が異なる。
【００７９】
切替時クランプ部３１は、シフトレジスタ３２、ＡＮＤ回路３３、ＸＯＲ回路３４、トランジスタ３５及び直流電源３６を有する。シフトレジスタ３２は、ＡＮＤ回路３３から入力されるクロックＣＬＫに応じて切替信号を遅延させる遅延回路として機能する。シフトレジスタ３２が切替信号を遅延させる遅延時間は、予め定められている。ＡＮＤ回路３３は、シフトパルスａ、ｂの論理積を演算することによりクロックＣＬＫを形成し、シフトレジスタ３２に対して出力する。例えば、シフトレジスタ３２は、切替信号が入力されたときから、シフトパルスａ、ｂいずれかのパルスが数回（例えば１０回）入力されるまで切替信号を遅延させる遅延回路として機能するように構成されてもよい。
【００８０】
ＸＯＲ回路３４は、切替信号と、シフトレジスタ３２により遅延された切替信号とを受入れて排他的論理和を演算し、演算結果をトランジスタ３５に対して出力する。トランジスタ３５は、第１の入出力端子が直流電源３６の高電位側の出力端子に接続されている。また、トランジスタ３５は、第２の入出力端子がアンプ２８の入力側に接続されている。また、トランジスタ３５は、ＸＯＲ回路３４の出力がハイレベルの間にはオン状態となり、アンプ２８の入力側の電位を直流電源３６の電位（直流オフセット電位）にクランプする。
【００８１】
図１０は、切替時クランプ部３１がアンプ２８の入力側を直流オフセット電位にクランプするタイミングを示すタイミングチャートである。図１０に示すように、例えば出力部２３ｂに対して切替信号Ａが入力されると、シフトレジスタ３２は、ＡＮＤ回路３３から入力されるクロックＣＬＫに応じて切替信号Ａを遅延させ、切替信号Ｂを出力する。従って、ＸＯＲ回路３４は、切替信号Ａと切替信号Ｂの排他的論理和（ＸＯＲ）の演算により、所定の時間のパルスを形成する。
【００８２】
つまり、切替時クランプ部３１は、図１０に示した所定の時間の期間、アンプ２８の入力側の電位を直流電源３６の電位（直流オフセット電位）にクランプする。ここで、図１０に示した所定の時間は、上述した所定時間ＴＷＡＩＴとなる。
【００８３】
そして、切替時クランプ部３１のＸＯＲ回路３４がクランプパルスを出力する（直流オフセット電位にクランプする）タイミングは、図８及び図１０に示したように、切替信号によってモノクロモードからカラーモード（又はカラーモードからモノクロモード）に切替えられる直前（又は前後）から、予め定められた期間（所定時間ＴＷＡＩＴ）が経過するまでとなる。
【００８４】
（第２の変形例）
図１１は、出力部２３ａの第２の変形例（出力部２３ｃ）及びその周辺の構成を示すブロック図である。出力部２３ｃは、図４に示した出力部２３ａに対し、さらに切替時クランプ（電位付与）部３７及びＯＲ回路４０を有する点が異なる。
【００８５】
切替時クランプ部３７は、シフトレジスタ３８及びＸＯＲ回路３９を有する。シフトレジスタ３８は、リセットパルスをクロックＣＬＫとして切替信号を遅延させる遅延回路として機能する。例えば、シフトレジスタ３８は、切替信号が入力されたときから、電気信号を出力していなかったＣＣＤイメージセンサ１６又はＣＣＤイメージセンサ１７〜１９が蓄積した電荷が排出されるまで切替信号を遅延させる遅延回路として機能するように構成されてもよい。ＸＯＲ回路３９は、切替信号と、シフトレジスタ３８により遅延された切替信号とを受入れて排他的論理和を演算し、演算結果をＯＲ回路４０に対して出力する。
【００８６】
ＯＲ回路４０は、ＸＯＲ回路３９が出力するパルスと、クランプパルスとの論理和を算出し、算出結果をトランジスタ２７ｃに対して出力する。トランジスタ２７ｃは、ＯＲ回路４０の出力がハイレベルの間にはオン状態となり、アンプ２８の入力側の電位を直流電源３６の電位（直流オフセット電位）にクランプする。ここで、切替時クランプ部３７又はＯＲ回路４０は、実質的に切替時クランプ部３１と同じ所定時間ＴＷＡＩＴのクランプを行う。
【００８７】
そして、切替時クランプ部３７がクランプパルスを出力する（直流オフセット電位にクランプする）タイミングは、図８及び図１０に示したように、切替信号によってモノクロモードからカラーモード（又はカラーモードからモノクロモード）に切替えられる直前（又は前後）から、予め定められた期間（所定時間ＴＷＡＩＴ）が経過するまでとなる。
【００８８】
実施の形態にかかる画像読取装置は、画像形成装置と一体に構成されてもよい。図１２は、画像読取装置１を有する画像形成装置のハードウェア構成例を示すブロック図である。本図に示すように、この画像形成装置は、コントローラ２１０とエンジン部（Ｅｎｇｉｎｅ）２６０とをＰＣＩ（Ｐｅｒｉｐｈｅｒａｌ  Ｃｏｍｐｏｎｅｎｔ  Ｉｎｔｅｒｆａｃｅ）バスで接続した構成となる。コントローラ２１０は、画像形成装置全体の制御と描画、通信、操作表示部２２０からの入力を制御するコントローラである。エンジン部２６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部２６０には、プロッタなどのいわゆるエンジン部分に加えて、誤差拡散やガンマ変換などの画像処理部分が含まれてもよい。
【００８９】
コントローラ２１０は、ＣＰＵ２１１と、ノースブリッジ（ＮＢ）２１３と、システムメモリ（ＭＥＭ−Ｐ）２１２と、サウスブリッジ（ＳＢ）２１４と、ローカルメモリ（ＭＥＭ−Ｃ）２１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２１６と、ハードディスクドライブ（ＨＤＤ）２１８とを有し、ノースブリッジ（ＮＢ）２１３とＡＳＩＣ２１６との間をＡＧＰ（Ａｃｃｅｌｅｒａｔｅｄ  Ｇｒａｐｈｉｃｓ  Ｐｏｒｔ）バス２１５で接続した構成となる。また、ＭＥＭ−Ｐ２１２は、ＲＯＭ（Ｒｅａｄ  Ｏｎｌｙ  Ｍｅｍｏｒｙ）２１２ａと、ＲＡＭ（Ｒａｎｄｏｍ  Ａｃｃｅｓｓ  Ｍｅｍｏｒｙ)２１２ｂと、をさらに有する。
【００９０】
ＣＰＵ２１１は、画像形成装置の全体制御を行うものであり、ＮＢ２１３、ＭＥＭ−Ｐ２１２及びＳＢ２１４からなるチップセットを有し、このチップセットを介して他の機器と接続される。
【００９１】
ＮＢ２１３は、ＣＰＵ２１１とＭＥＭ−Ｐ２１２、ＳＢ２１４、ＡＧＰバス２１５とを接続するためのブリッジであり、ＭＥＭ−Ｐ２１２に対する読み書きなどを制御するメモリコントローラと、ＰＣＩマスタ及びＡＧＰターゲットとを有する。
【００９２】
ＭＥＭ−Ｐ２１２は、プログラムやデータの格納用メモリ、プログラムやデータの展開用メモリ、プリンタの描画用メモリなどとして用いるシステムメモリであり、ＲＯＭ２１２ａとＲＡＭ２１２ｂとからなる。ＲＯＭ２１２ａは、プログラムやデータの格納用メモリとして用いる読み出し専用のメモリであり、ＲＡＭ２１２ｂは、プログラムやデータの展開用メモリ、プリンタの描画用メモリなどとして用いる書き込み及び読み出し可能なメモリである。
【００９３】
ＳＢ２１４は、ＮＢ２１３とＰＣＩデバイス、周辺デバイスとを接続するためのブリッジである。このＳＢ２１４は、ＰＣＩバスを介してＮＢ２１３と接続されており、このＰＣＩバスには、ネットワークインターフェース（Ｉ／Ｆ）部なども接続される。
【００９４】
ＡＳＩＣ２１６は、画像処理用のハードウェア要素を有する画像処理用途向けのＩＣ（Ｉｎｔｅｇｒａｔｅｄ  Ｃｉｒｃｕｉｔ）であり、ＡＧＰバス２１５、ＰＣＩバス、ＨＤＤ２１８及びＭＥＭ−Ｃ２１７をそれぞれ接続するブリッジの役割を有する。このＡＳＩＣ２１６は、ＰＣＩターゲット及びＡＧＰマスタと、ＡＳＩＣ２１６の中核をなすアービタ（ＡＲＢ）と、ＭＥＭ−Ｃ２１７を制御するメモリコントローラと、ハードウェアロジックなどにより画像データの回転などをおこなう複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部２６０との間でＰＣＩバスを介したデータ転送をおこなうＰＣＩユニットとからなる。このＡＳＩＣ２１６には、ＰＣＩバスを介してＦＣＵ（Ｆａｃｓｉｍｉｌｅ  Ｃｏｎｔｒｏｌ  Ｕｎｉｔ）２３０、ＵＳＢ（Ｕｎｉｖｅｒｓａｌ  Ｓｅｒｉａｌ  Ｂｕｓ）２４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース２５０が接続される。また、ＡＳＩＣ２１６は、図示しないホストＰＣ及びネットワーク等にも接続されている。操作表示部２２０は、例えばタッチパネルなどであり、コントローラ２１０に対する入力を受入れるとともに、画像形成装置の状態などを表示する。また、操作表示部２２０は、ＡＳＩＣ２１６に直接接続されている。
【００９５】
ＭＥＭ−Ｃ２１７は、コピー用画像バッファ、符号バッファとして用いるローカルメモリであり、ＨＤＤ（Ｈａｒｄ  Ｄｉｓｋ  Ｄｒｉｖｅ）２１８は、画像データの蓄積、プログラムの蓄積、フォントデータの蓄積、フォームの蓄積を行うためのストレージである。
【００９６】
ＡＧＰバス２１５は、グラフィック処理を高速化するために提案されたグラフィックスアクセラレーターカード用のバスインターフェースであり、ＭＥＭ−Ｐ２１２に高スループットで直接アクセスすることにより、グラフィックスアクセラレーターカードを高速にするものである。
【００９７】
記録媒体２１９は、例えば１度の書き込みが可能なＣＤ−Ｒ（Ｃｏｍｐａｃｔ  Ｄｉｓｃ  Ｒｅｃｏｒｄａｂｌｅ）などであり、記録したプログラムやデータなどをＨＤＤ２１８にコピーする場合などに用いられる。
【００９８】
図１３は、画像読取装置１を有する画像形成装置３００の構成例を示す側面図である。画像形成装置３００は、例えばＭＦＰ（Multifunction  Peripheral）である。画像形成装置３００は、ユーザによりコピーモードが指定されている場合には、画像読取装置（スキャナ）１又はＡＤＦ５０１により原稿の画像を読取り、読取った画像を画像読取装置１により印刷する。また、画像形成装置３００は、スキャナ（スキャナ配信）モードが指定されている場合には、画像読取装置１又はＡＤＦ５０１により原稿の画像を読取り、画像形成装置３００内の画像蓄積メモリ、媒体又は指定の外部端末（パソコン、携帯、サーバ、外部プリンタ）に、蓄積（記憶）又は送信（配信）する。また、画像形成装置３００は、外部端末から印刷指示を受けると、外部端末が送信する画像情報を印刷する。
【００９９】
プリンタ４０１の作像機構（画像形成部）は、公知のカラー電子写真形成プロセス要素を備えており、Ｋ（ブラック），Ｃ（シアン），Ｍ（マゼンタ），Ｙ（イエロー）の各色印刷用の作像カートリッジ４０４ｋ〜４０４ｙを備えている。各作像カートリッジ４０４ｋ〜４０４ｙは、感光体ドラム４０５の周囲に、帯電ローラ４０６，トナー現像器４０７およびクリーナ４０９を配設したものである。これらの作像カートリッジ４０４ｋ〜４０４ｙは、転写ベルト４０３の移動方向（副走査方向）に沿って所定ピッチでタンデムに配設されている。作像カートリッジ４０４ｋ〜４０４ｙの上方にはレーザ走査器４１０が配置されている。レーザ走査器４１０は、各色画像露光用の画像データで変調された各レーザ光を、帯電ローラ４０６で荷電された各感光体ドラム４０５に投射する。そして、レーザ走査器４１０は、転写ベルト４０３の移動方向に直交する主走査方向に繰り返し走査する。これにより感光体ドラム４０５に静電潜像が形成される。静電潜像は、トナー現像器４０７によりトナー像に顕像化される。各感光体ドラム４０５の各色トナー像は、転写ベルト４０３上に、同一カラー画像を表すように、転写ローラ４０８で順次に重ね転写される。重なったトナー像は、２次転写ローラ４１１の位置で、レジストローラ４１５から送り出される用紙に転写される。トナー像が転写された用紙は、送り出し通路４１６を通して定着器４１７に送られ、定着器４１７で加熱および加圧され、これによりトナー像が用紙に固着する。定着器４１７を通過した用紙は、排紙路４１８を通って排紙ローラ４１９で排紙口の外の、排紙トレイ４２０上に送り出される。
【０１００】
両面印刷が指定されていた場合には、プリンタ４０１は、定着器４１７を通過した用紙を、排紙路４１８を通して排紙ローラ４１９で排紙口の外の排紙トレイ４２０上に送り出す。また、プリンタ４０１は、送出紙尾端が排紙ローラ４１９から外れる前に排紙ローラ４１９が正転（排紙回転）を停止して、用紙尾端部を排紙ローラ４１９で挟持したまま排紙ローラ４１９を逆転（反転）駆動する。そして、プリンタ４０１は、用紙を尾端から両面搬送パスに送り込み、反転紙送給路４２５からレジストローラ４１５に送り出してレジストローラ４１５に突き当ててから一旦停止させる。ここで、両面搬送パスは、例えば排紙路４１８，戻し反転通路４２２，送りローラ４２３および反転紙送給路４２５からなる。そして、転写ベルト４０３上に転写されたトナー像の始端（画像先端）が２次転写ローラ４１１に到達するとき用紙の先端が２次転写ローラ４１１に到達するように転写ベルト４０３の移動にあわせてレジストローラ４１５の送給駆動を開始する。そして反転した面にトナー像を転写した用紙は、送り出し通路４１６を通して定着器４１７に送られ、定着器４１７で加熱および加圧され、これによりトナー像が用紙に固着する。定着器４１７を通過した用紙は、排紙路４１８を通って排紙ローラ４１９で排紙口の外の、排紙トレイ４２０上に送り出される。用紙は、給紙トレイ４１２から給紙ローラ４１３で給紙通路４１４に送り出されてレジストローラ４１５に突き当ててから一旦停止し、そして転写ベルト４０３上のトナー像の移動に合せてレジストローラ４１５により２次転写ローラ４１１に送り出される。
【０１０１】
画像読取装置１には、原稿の表面を読み取る第１画像読取手段の縮小光学系がある。該縮小光学系には、第１ミラーを搭載した第１キャリッジ５０５と、第１および第２ミラーを搭載した第２キャリッジ５０７と、レンズ５０３および撮像装置４が含まれる。その他に、画像読取装置１には、基準白板５０４，シートスルー読取り用の窓ガラス５０６およびフラットベッド読取り用（ブック読取り用）のコンタクトガラス５１０がある。
【０１０２】
一方、ＡＤＦ５０１には、裏面を読み取る第２画像読取手段である等倍光学系（ＣＩＳ５０９）がある。その他に、ＡＤＦ５０１には、白色ローラ５０８，原稿トレイ５１２，原稿トレイ５１２に積載された原稿５１１を一枚づつ分離するピックアップローラおよび原稿を搬送するための搬送ローラ等がある。白色ローラ５０８は、原稿の裏面を、第２画像読取手段である、等倍光学系のＣＩＳ５０９で読み取る場合の、シェーディング補正時の補正データを得るため、窓ガラス５０６の主走査方向ｘ全長に及ぶ長さの全長にわたって均一濃度の、ほぼ白色のローラである。
【０１０３】
フラットベッド読取りの場合には、駆動源であるモータ（図示せず）により、図１３に示す窓ガラス５０６の直下の位置から第１キャリッジ５０５が、図１３上で右方向に副走査駆動される。これに同期して、第２キャリッジ５０７が、同方向に第１キャリッジ５０５の移動速度の半分の速度で駆動される。すなわち、コンタクトガラス５１０の上面から撮像装置４に至る原稿反射光の行路を一定にするように、第２キャリッジ５０７が駆動される。第１キャリッジ５０５（の第１ミラー）が原稿の始端（図１３上で左端）直下に達してから、終端（右端）に達するまでの間、撮像装置４が画像光を画像信号に変換し、この画像信号を信号処理回路（図示せず）がデジタル変換する。すなわち画像データに変換する。基準白板５０４は、フラットベッド読取りの場合のシェーディング補正時の補正データを得るために設けられた、コンタクトガラス５１０の横幅の全体に及ぶ長さの、全長に及んで均一濃度のほぼ白色の部材である。
【０１０４】
シートスルー読取りによる原稿表面画像の読取りの場合には、第１キャリッジ５０５を固定して、原稿を搬送し、原稿が窓ガラス５０６を横切っている間に、撮像装置４が画像光を画像信号に変換し、この画像信号を信号処理回路（図示せず）がデジタル変換する。
【０１０５】
両面読取の場合には、上記シートスルー読取りによる原稿表面画像の読取りとともに、等倍光学系のＣＩＳ５０９によって、原稿裏面の画像を読取る。
【符号の説明】
【０１０６】
１  画像読取装置
２  照明光源
３  光源点灯装置
４  撮像装置
５  エミッタフォロアー
６  ＡＣカップリングコンデンサ
７  ＡＦＥ
８  データ処理部
９  制御部
１０  記憶部
１６〜１９  ＣＣＤイメージセンサ
２０ｋ，２０ｒ，２０ｇ，２０ｂ  受光部
２１ｋ，２１ｒ，２１ｇ，２１ｂ  シフトゲート
２２ｋ，２２ｒ，２２ｇ，２２ｂ  転送レジスタ
２３ａ，２３ｂ，２３ｃ  出力部
２４  切替部
２５  信号電荷排出部
２６，２８  アンプ
２７  クランプ部
２７ａ  キャパシタ
２７ｂ  直流電源
２７ｃ  トランジスタ
２９  スイッチ
３０  フローティングキャパシタ
３１  切替時クランプ部
３２，３８  シフトレジスタ
３３  ＡＮＤ回路
３４，３９  ＸＯＲ回路
３５  トランジスタ
３６  直流電源
３７  切替時クランプ部
４０  ＯＲ回路
３００  画像形成装置
【先行技術文献】
【特許文献】
【０１０７】
【特許文献１】特開２００６−３１４０３９号公報
【図１】
2013225845.tif 000003
【図２−１】
2013225845.tif 000004
【図２−２】
2013225845.tif 000005
【図２−３】
2013225845.tif 000006
【図３】
2013225845.tif 000007
【図４】
2013225845.tif 000008
【図５】
2013225845.tif 000009
【図６】
2013225845.tif 000010
【図７】
2013225845.tif 000011
【図８】
2013225845.tif 000012
【図９】
2013225845.tif 000013
【図１０】
2013225845.tif 000014
【図１１】
2013225845.tif 000015
【図１２】
2013225845.tif 000016
【図１３】
2013225845.tif 000017